(57)【特許請求の範囲】
【請求項１】
支持体への固定要素を有し、電磁石(20)及び可動式接点台(17)を収容する本体(10)を有し、該本体は導体部品によって、接点台が保持する可動式接点から分離可能な固定電力接点に接続され、主配線平面(PA)に設けた電力端子(A)と、電磁石(20)のコイルに接続され、制御配線平面(PB)に設けた制御端子(B)から成る電気機械式接触器において、
−電磁石(20)が本体(10)の後部に配置されていること、
−制御配線平面(PB)が電力配線平面(PA)の前部に配置されていること
を特徴とする電気機械式接触器。
【請求項２】
制御端子(B)が接触器本体(10)の前部に設けた制御端子台(60)内に配置されていることを特徴とする請求項１に記載の接触器。
【請求項３】
接続導体(27)が本体の後部に設けたコイルの端子(26)と本体前部に設けた制御端子(B)とを接続され、制御配線平面(PB)と電力配線平面(PA)に対して垂直に延びることを特徴とする請求項１に記載の接触器。
【請求項４】
接続導体(27)が接触器本体(10)の内側表面と可動式接点台(17)を含み本体(10)内に配置した消弧ケース(40)の外側表面間に設けた溝のような空間(28)内を延びることを特徴とする請求項３に記載の接触器。
【請求項５】
接点台(17)が操作系の可動式接点を有しており、接触器の本体(10)が操作系の固定接点を備え、かつ、これら固定接点に接続した操作端子(C)を有し、また操作端子(C)が制御配線平面(PB)と一体化した配線平面(PC)に設けてあることを特徴とする請求項１に記載の接触器。
【請求項６】
操作端子(C)が制御端子(B)と共に接触器の本体(10)の前部に組立てた制御／操作共通端子台(60)内に設けてあることを特徴とする請求項５に記載の接触器。
【請求項７】
接触器本体が支持体への後部固定台(30)と電力端子(A)を収容する電力端子台(50)を含み、該固定台と該電力端子台が可動式接点台(17)を収容する消弧ケース(40)の外殻体を形成することを特徴とする請求項１に記載の接触器。
【発明の詳細な説明】
【０００１】
本発明は、支持体に対する固定要素を有し、かつ、電磁石と可動式接点台を収容する本体を有する電気機械式接触器に関し、該電磁石はコイル、固定アーマチュア及び接点台の位置移動に適した可動式アーマチュアを含んでおり、該本体が電力端子と制御端子を有する。
【０００２】
本体の電力端子は電力導体部品によって、主配線平面内に位置し、接点台が支持する可動式接点から分離可能な固定電力接点に接続されている。操作端子は電磁石コイルの端子に接続されており、制御配線平面内に位置している。
【０００３】
要求された構成に従えば、接触器の電磁石は本体の前部もしくは後部に配置することが可能であることが知られている。「前部」という言葉は、本体の一方の側であり、こちらから人が工具を用いて電力端子を扱うことができる側のことを意味し、従って、主配線平面は本体の前部にあり、また「後部」という言葉は本体の固定要素が付いた方の側を意味することを明確にしておくことがふさわしい。
【０００４】
電磁石コイルが本体の後部に位置する現行の接触器のあるものでは、制御配線平面は結果的に、また論理的に、消弧ケースの後部に配置されているが、この消弧ケースは本体の基盤を成し、接触器の固定台を形成しており、支持バーや支持台などの支持体にねじ止めもしくはスナップによって固定する。操作付属器を本体の前部に付加することが可能であり、この操作器の端子が主配線平面の前部に配置される操作配線平面を形成する。
【０００５】
制御配線は電力配線とは区別されるが、その部品配置を変更するには消弧ケースの変換を行わないわけにはいかない。さらに、種類の異なる電力端子をこの接触器に追加することには、同じように種類の異なる本体を想定しなければあり得ないもので不利益である。
【０００６】
後部コイル方式による現行のその他接触器においては、制御配線平面と主配線平面とが一体化している。一方ではさまざまな電力端子間において、また他方では制御端子と隣接する電力端子間において必要とされる仕切は、消弧ケースにある仕切によって達成される。
【０００７】
この結果として電力配線と制御配線が十分に区別されていないので、電力接続をねじ式端子にではなく弾性端子にしたいと望む場合には、違う型式の接触器本体を想定しなければならない。
【０００８】
本発明は、後部コイル配置方式による接触器において、一方、電力配線系と、また他方では制御と場合によっては操作配線系との区分を容易にすることを目的とする。
【０００９】
本発明はまた、異なる型式の電力接続端子を付けるに適した後部コイル式接触器の一連の確立を容易化することも目的とする。
【００１０】
本発明によれば、電磁石は本体の後部に配置され、制御配線平面は電力配線平面の前部に配置される。好ましくは、制御端子は接触器本体の前部に設けた制御端子台内に配置される。
【００１１】
接続導体は、本体後部に設けたコイル端子を本体前部に設けた制御端子と接続し、制御配線平面と電力配線平面に垂直に延びる。接続導体は望ましくは本体の内側表面と、接点台を含む本体内部に設けられる消弧ケースとの間に設けた溝のような空間の中を延びる。
【００１２】
操作接点を想定している場合は、接触器本体は固定式操作接点を設けられ、この固定式接点に接続した操作端子を持つことができ、操作端子は制御配線平面と一体化した配線平面内に位置付けられる。好ましくは、操作端子が、制御端子と共に、接触器本体前部に設けられて、それと組立てた制御／操作共通の固定台内に設備される。
【００１３】
接触器本体は後部に、支持体へ固定できる固定台を持つことでき、この固定台によって電磁石の固定要素の組込むことが可能となり、また前部には電力端子の備えた電力板を設けることができ、この固定台と電力板は可動式接点台を収容する消弧ケースを覆う外殻体を形成する。
【００１４】
下記、付属の図面を参照して、本発明の好ましい、かつ、非限定的な一実施態様についての記述を行う。
【００１５】
ここに示した多極電気機械式接触器は本体、すなわちその前部10a及び後部10bを持つ外殻体10を有する。前部10aは電力端子A、制御端子B及び操作端子Cを収める。後部10bには支持体との固定に用いる通常要素11が付いており、また電磁石要素20を収める。本体10は双投電流路12を含む。この電流路12は、固定式電力接点14を持つ固定導体部品13及び接点ブリッジ16上に設けた可動式電力接点15を有する。可動式接点ブリッジ16は、電磁石20のコイル21からの吸引に応じて移動する接点台内に設けてある。
【００１６】
本体10の前部10aには、電流路13に電圧を掛けるために、電源及び電荷に接続された電線を挿入するように主配線平面PAに電力端子Aが設備され、前部10aにはさらに、制御回路に接続された電線を挿入するために、平面PA前部に位置する制御配線平面PBを形成する制御端子Bが収めてあり、この端子は接触器の内部で電磁石20のコイル21に接続される。又、前部10aには、平面PA前部に位置する、例えば平面PBと一体化している配線平面PCを形成する操作端子Cが設けてあり、この端子は電線もしくはバスによって操作回路、通信回路、又は同様なものに接続されている。
【００１７】
さらに詳細には、接触器の本体もしくはケース10は、一般的には平行六面体の台座の形状を有する絶縁材料から成る固定台30を含み、この固定台は上述の後部10bの基本部分を構成しており、従って固定要素11が付いており、また電磁石20のコイル21及びEの中心部が鉛直に配置したＥ字形固定アーマチュア22を収めてある。
【００１８】
本体10の中には、適切な絶縁材で作られ、電磁石20のE字形可動式アーマチュア23の一部及び接点台17とを収めた消弧ケース40が設けてある。接点台17（図4、5及び7を参照）は各電極に対応する二つの可動式接点15をそれぞれ有する接点ブリッジ16を収める。可動式接点に対してそれぞれ固定式接点14が設けてあり、導体部品13によって電力端子Aにつながっている。部品13はこのために穴をあけた固定式座金13aを備えている。接点台17は、接点ブリッジ16を設けた後部17aと、後述するように固定式操作接点19と合わせて作動する可動式操作接点18を設けた前部17bとを含む。接点台17は、接触器の前部に留める付属部品に適した接点作動を考えてはめ込み形状17cを呈している。
【００１９】
コイル21は、巻線25を保持し制御端子Bにつなぐためのコイル端子2個26を備えた絶縁枠24を有する。上述の連結は、接触器の正面に対して実質的に垂直方向に配置された各導体バー27によって行い、このバーは消弧ケース40の外面に設置している横断溝28の中に設ける。
【００２０】
消弧ケース40は段状の形態をなしている。すなわち、電力端子台50に覆われている、電力接点−電力端子間の連結のために配線平面PAを形成する段と、操作／制御接点−操作／制御端子間の連結のための、操作／制御端子台60で覆われたPB、PC配線平面を形成する段から成る。消弧ケース40は、接触器の中央面QまたはQに平行する面でもあり得る水平面に応じて、2つの半ケース40a、40bを組立ことによって構成される。各半ケース40a、40bは各極の電力接点間に適切な絶縁を与えるために内部隔壁41を含むが、電力端子間の外部絶縁隔壁はない。各半ケースはガイド及び溝42を備えており、電力端子台50内に設備されている端子間絶縁隔壁51を位置付けすることができる。消弧ケース40の前部には形状要素44が設備されており、前面付属品を接触器に留めることができるようにする。
【００２１】
図3、また図6、7で示すように各隔壁51は、隣接する固定座金13の背後に設けた、対応する溝42aを貫通している後部51aを有する。隔壁51はまた、電力端子Aの作動部品（Uボルト、弾性ケージ等）に設けた、対応する溝42aを貫通している引込部51bも有している。接触器の中央面Qの付近に設けた隔壁部分は、水平溝42cと共に作動する2個のすべり座51cを含んでいる（図9、10も参照）。ここで溝42a、42b、42cが隔壁51の要素と共に、電力の導体部品間の絶縁距離を拡大する障壁を形成することが分かる。電力端子台は、接触器の中央面Qに平行で端子の基盤面の役割を果たしている面Q'の間仕切52を有する。
【００２２】
電力端子台50が、消弧ケースを変更することなく、異なった形式のコネクタに適合することは注目に値する。図9及び10それぞれにおいて、例えば弾性端子台A1を有する端子台50-1、またはねじ式端子A2を有する端子台50-2を消弧ケースに加付されることを示している。図3、9及び10で示すように、消弧ケースは同一であるのに間仕切52と端子台の平面Q’の隣接する外部間仕切54との間で作動部品もしくは可動部分に当てられた空間53は、高さ（Y方向）及び奥行き（X方向）に可変容積を有している。端子台は、手動で工具を使って端子を扱える前面開口部55及びPA配線平面に設けられ、電力線の挿入に用いる上部又は下部の開口部56を有する。開口部55、56は空間53に通じている。端子台の間仕切52とガス抜き穴の付いた、消弧ケースの平行間仕切53の間に減圧空間57が作られている。端子台50は、消弧ケースの前部40を貫通する窓58を前部に有する。
【００２３】
制御／操作端子台60は接触器本体の前部に組込まれ、この端子台は手動で工具を使って端子を扱える前面開口部61及び、PB、PC配線平面に設けた制御及び操作線の挿入に用いる、上部又は下部開口部62を有する。端子台60は、電力端子台50の窓58にはめこむことを可能とする形を有しており、また消弧ケース40の前部を通すための前面開口部63が付いている。
【００２４】
接触器本体は電力端子台と固定台を組立てることによって成っており、この2つの要素が接触器外部パリソンを形成し消弧ケースを完全に覆っていることは注目に値する。電力端子台50はあらゆる通常の手段によって固定台30に固定され、制御／操作端子台60はあらゆる通常の手段によって端子台50及び／または消弧ケース40に固定される。
【図面の簡単な説明】
【図１】  本発明による接触器の側面概略図である。
【図２】  接触器の分解組立図である。
【図３】  消弧ケースと電力端子台の拡大側面概略図である。
【図４】  接触器本体の側面断面図である。
【図５】  接触器内部の要素の右斜視図である。
【図６】  消弧ケースの左斜視図である。
【図７】  可動式及び固定式接点を省略した、消弧ケース、接点台、電力端子台及び操作・制御端子台の分解組立斜視図である。
【図８】  固定台と電力端子台及び操作・制御端子台の右斜視図である。
【図９】  電力端子台の2つの形態示す正面図である。
【図１０】  電力端子台の2つの形態示す正面図である。
【図１】
0004183913.tif 000002
【図２】
0004183913.tif 000003
【図３】
0004183913.tif 000004
【図４】
0004183913.tif 000005
【図５】
0004183913.tif 000006
【図６】
0004183913.tif 000007
【図７】
0004183913.tif 000008
【図８】
0004183913.tif 000009
【図９】
0004183913.tif 000010
【図１０】
0004183913.tif 000011